(57)【要約】      （修正有）【課題】無線伝送充電と有線伝送充電機能を合わせ有する携帯用電源を提供する。【解決手段】無線充電タイプの携帯用電源は主に、電子回路板９０、電池部１１０、出力ユニット５０、無線出力ユニット１００とを含む。外部から供給される電源は電池部に伝送、貯存されるか、或いは無線出力ユニットに伝送され、無線充電器として使用する。外部から供給される電源がない場合は、電池部内に充電された電量が出力ユニット或いは無線出力ユニットに送られ、充電対象物品に対して有線伝送充電或いは無線伝送充電を行う。【選択図】図２
0003179782.tif 000002
【実用新案登録請求の範囲】
【請求項１】
電子回路板と入力ユニットと一つ以上の出力ユニットと電池部と無線出力ユニットと制御ユニットとを含む無線充電タイプの携帯用電源において、前記電子回路板は、少なくとも一つの検査モジュールと、少なくとも一つの切替モジュールとを備え、
前記検査モジュールは、充電対象物品の異なる接続状態を検知、判断するのに用いられ、検知した接続状態が切替モジュールに送られると、該切替モジュールは、充電対象物品の接続状態に基づいて対応する作業状態に切り替え、
前記入力ユニットは、前記電子回路板に電気的に接続し、外部電源と接続して電気を供給し、前記出力ユニットは、前記電子回路板に電気的に接続し、外部の充電対象物品との有線接続により充電対象物品に必要電源を提供し、
前記電池部は、前記電子回路板に電気的に接続し、尚且つ電気を充電するか出力するかを選択でき、前記無線出力ユニットは、前記電子回路板に電気的に接続し、無線伝送充電ユニットを備えた充電対象物品との無線接続により充電対象物品に必要電源を提供し、
前記制御ユニットは、前記電子回路板に電気的に接続し、前記電子回路板の作業状態の切替を選択し、その内、前記入力ユニットが外部電源に接続している場合、入力ユニットが提供する電気は前記電池部に伝送、充電され、
前記検査モジュールが無線出力ユニットの無線伝送充電ユニットを備えた充電対象物品への接続を検知した時、切替モジュールは、入力ユニットの電気供給を無線出力ユニットへの伝送に切り替えて電気出力が行われ、入力ユニットが外部電源に未接続である場合、
前記電池部からの電気供給に変更し、並びに、制御ユニットによって電子回路板の作業状態が調整、変換されることを特徴とする無線充電タイプの携帯用電源。
【請求項２】
前記制御ユニットが未起動である場合、前記出力ユニットと無線出力ユニットはどちらも作動せず、最初に制御ユニットを起動させた時、出力ユニット及び無線出力ユニットによって同時に電気の有線出力と無線出力が行われ、
二回目に制御ユニットを起動させた時、無線出力ユニットのみによって電気の無線出力が行われ、
三回目に制御ユニットを起動させた時、出力ユニットによって電気の有線出力が行われ、最後に、四回目に制御ユニットを起動させた時、未作動状態に戻り、繰り返し起動を切り替えられることを特徴とする請求項１に記載の無線充電タイプの携帯用電源。
【請求項３】
前記無線充電タイプの携帯用電源には、電量表示ユニットをさらに含み、該電量表示ユニットは、前記電池部に電気的に接続し、電池部内の充電電量を検知、表示するのに用いることを特徴とする請求項１に記載の無線充電タイプの携帯用電源。
【請求項４】
前記無線充電タイプの携帯用電源には、状態表示ユニットをさらに含み、該状態表示ユニットは、前記検査モジュールに電気的に接続し、前記無線出力ユニットと無線伝送充電ユニットを備えた充電対象物品間の接続状態についての表示を行うことを特徴とする請求項１に記載の無線充電タイプの携帯用電源。
【請求項５】
前記状態表示ユニットには、異なる色を表示する一つ以上の発光素子を設け、充電対象物品の異なる接続状態に対して、異なる色の発光素子での区分表示を行うことを特徴とする請求項４に記載の無線充電タイプの携帯用電源。
【考案の詳細な説明】
【技術分野】
【０００１】
本考案は、随時携帯でき電子機器に対して充電を行える携帯用電源に関し、有線充電及び無線非接触充電を同時に備えた携帯電源に係る。
【背景技術】
【０００２】
現在の電子機器に使用される従来型充電装置は、主に、変電器を一般のコンセント或いはパーソナルコンピュータ上に差し込み、ケーブルを充電対象物品に接続することにより、充電対象物品に充電を行っている。
よって、充電対象物品に充電する場合、充電を行える範囲が一般のコンセント或いはパーソナルコンピュータの周辺範囲内に限られてしまう。
電子機器の電気が不足している時、直接充電できる一般のコンセントやパーソナルコンピュータの差込口が随時随所にあるとは限らず、常に使用者の使用上の不便を引き起こしている。
【０００３】
現在、市場には前述したような随時随所で充電を行えない面倒を解決するために携帯用電源が出現した。
携帯用電源は充電対象物品と一般のコンセントとの接続形態に取って代わり、携帯用電源内電池に充電して携帯用電源の充電を１００％にした後、充電対象物品に充電が必要になった時に、携帯用電源と充電対象物品を接続して充電することができるため、一般のコンセントに固定しなくてもよい。よって、充電対象物品を充電する場合は、使用範囲の制限がないため使用上の利便性を大幅に高めた。
【０００４】
しかし、現在の市場における携帯用電源はケーブルを充電対象物品に接続して充電するものであるため、携帯用電源の携帯と共にケーブルを携帯して初めて充電が可能となる。
ケーブルを不携帯或いは遺失した場合は充電対象物品に充電できず、使用者の不便を引き起こすこともある。
【０００５】
また、現在一般に使用されている無線充電器は、一般のコンセント上に直接接続して充電対象物品に充電するものであるが、同時に固定式の無線充電器及び携帯式の無線充電器となって随時携帯使用できる無線充電器は未だ見られない。
【０００６】
従来の携帯用電源における使用上の利便性及び多様性の欠乏に鑑み、無線送電機能を備えて電源に差し込んで即刻使用できる携帯充電装置の誕生は不可欠である。
【考案の概要】
【考案が解決しようとする課題】
【０００７】
本考案の主な目的は、携帯用電源に従来のケーブルを接続して充電させる他、ケーブルなしの状態において、無線非接触方式を通して、無線非接触充電機能を備えた充電対象物品に対する充電を行うことができ、携帯用電源の使用上の多様性及び利便性を高める無線充電タイプの携帯用電源の提供にある。
【０００８】
本考案の次の目的は、携帯用電源を随時携帯して有線／無線の充電が行える他、外部電源に直接差し込んで固定式の無線充電出力ベースを形成し、携帯用電源を継続的に外部電源に差し込む場合は、無線伝送範囲内で繰り返し非接触充電が行えるため、携帯用電源内部電池の充電電量を考慮する必要がない。
【課題を解決するための手段】
【０００９】
前記目的を達成するために、本考案の無線充電タイプの携帯用電源は、少なくとも一つの検査モジュールと少なくとも一つの切替モジュールを備える電子回路板を含む。
前記検査モジュールは、充電対象物品の異なる接続状態を検知するのに用いられ、検知した接続状態が切替モジュールに送られると、該切替モジュールは充電対象物品の接続状態に基づいて対応する作業状態に切り替える。
電子回路板は、入力ユニット、一つ以上の出力ユニット、電池部、無線出力ユニット、及び制御ユニットに電気的に接続する。
【００１０】
前記入力ユニットと外部電源を接続している場合、外部電源が提供する電気は前記電池部に伝送、充電される。
前記検査モジュールが無線出力ユニットの無線伝送充電ユニットを備えた充電対象物品への接続を検知した場合、切替モジュールは入力ユニットの電気供給を、無線出力ユニットへの伝送に切り替え電気出力が行われる。
【００１１】
前記入力ユニットが外部電源に未接続である場合、前記電池部からの電気供給に変更し、制御ユニットによって電子回路板の作業状態が調整、変換される。
制御ユニットが未起動である場合、出力ユニットと無線出力ユニットは何れも作動しない。最初に制御ユニットを起動させた時、出力ユニット及び無線出力ユニットから同時に電気が出力され、充電対象物品に対する充電が行われる。
二回目に制御ユニットを起動させた時、無線出力ユニットからの電気出力に切り替えられ、無線出力ユニットに接続した充電対象物品に対する無線伝送充電が行われる。
また、三回目に制御ユニットを起動させた時、出力ユニットからの電気出力に切り替えられ、充電対象物品に対する有線伝送充電が行われる。
最後に、四回目に制御ユニットを起動させた時、出力ユニット及び無線出力ユニットは未作動状態に戻る、このように起動を繰り返し切り替える。
【００１２】
本考案の無線充電タイプの携帯用電源の実施例では、さらに電量表示ユニットを含んでもよい。該電量表示ユニットは、電池部に電気的に接続し、電池部内の充電電量を検知、表示する。
【００１３】
また、本考案の無線充電タイプの携帯用電源の実施例では、さらに状態表示ユニットを含んでもいい。
該状態表示ユニットは、検査モジュールに電気的に接続し、無線出力ユニットと無線伝送充電ユニットを備えた充電対象物品の接続状態についての表示を行う。
前記状態表示ユニットは、異なる色を表示する一つ以上の発光素子を設け、充電対象物品の異なる状態に対して、異なる色の発光素子による区分表示を行う。
【考案の効果】
【００１４】
本考案の無線充電タイプの携帯用電源は、ケーブルを充電対象物品に接続する従来の充電方式の他、ケーブルなしの状態においては、無線非接触方式を通して、無線伝送充電ユニットを備えた充電対象物品に対する充電を行うことができるため、ケーブルの未持参や遺失により充電ができないという状況を防ぐことができる。
さらに、本考案は固定式の無線充電出力ベースとすることもでき、本考案を一般のコンセントに電気的に接続した場合、使用者は無線伝送範囲内で繰り返し非接触充電が行えるため、携帯用電源の電池内部の充電電量を考慮する必要がなく、携帯用電源の電気を１００％にした後に充電対象物品に充電を行う必要もなく、携帯用電源の使用上の多様性及び利便性を高める効果を有する。
【図面の簡単な説明】
【００１５】
【図１】本考案の無線充電タイプの携帯用電源の立体図である。
【図２】本考案の無線充電タイプの携帯用電源のブロック図である。
【図３】本考案の第一実施例についての立体図である。
【図４】本考案の第二実施例についての立体図である。
【図５】本考案の第三実施例についての立体図である。
【図６】本考案の第四実施例についての立体図である。
【図７】本考案の第五実施例についての立体図である。
【考案を実施するための形態】
【００１６】
次に、本考案の構造、使用及びその特徴について、更に深く明確に理解いただく為に、図面を参照した好ましい実施例を用いて詳細説明を行う。
【実施例】
【００１７】
本考案の無線充電タイプの携帯用電源は主に、外部電源を通して電源供給をするもので、その電源は、有線或いは無線のどちらか一つの伝送方式によって充電対象物品に充電を行う。
【００１８】
図１及び図２に示すとおり、本考案には本体３０を備え、前記本体３０の内部には収納空間を設け、尚且つ側面には前記本体３０表面に嵌設する少なくとも一つの入力ユニット４０と出力ユニット５０と制御ユニット６０を設ける。
また、前記本体３０の上部には、表面に露出する電量表示ユニット７０と状態表示ユニット８０を備える。
【００１９】
また、前記本体３０の収納空間に内設する電子回路板９０は、入力ユニット４０、出力ユニット５０、制御ユニット６０、及び状態表示ユニット８０に電気的に接続し、別に設けた無線出力ユニット１００と電池部１１０はそれぞれ前記電子回路板９０に電気的に接続する。
無線出力ユニット１００は、外部伝送範囲内に無線伝送充電ユニットを備えた充電対象物品２１があるかどうかを感知するのに用いる。また、電池部１１０は電気を充電するか外部に出力するかを選択できる。
【００２０】
その内、前記電子回路板９０自身には検査モジュール９１と切替モジュール９２を備え、前記検査モジュール９１と切替モジュール９２は互いに電気的に接続する。
検査モジュール９１は、入力ユニット４０、出力ユニット５０、無線出力ユニット１００の三つのポートと、外部電源１０、充電対象物品２０、及び無線伝送充電ユニットを備えた充電対象物品２１間の接続状態を検知、判断するのに用いられ、検知された接続状態は切替モジュール９２中に伝送され、各種異なる接続状態に基づいて、切替モジュール９２が対応する充放電モードを切り替える。
【００２１】
電量表示ユニット７０は、電池部１１０に別に電気的に接続し、電池部１１０が充電状態である時、その内部の充電電量を表示する。
状態表示ユニット８０は、無線出力ユニット１００と無線伝送充電ユニットを備えた充電対象物品２１間の接続状態に基づいて表示を行う。
状態表示ユニット８０は、異なる色を表示する一つ以上の発光素子を設け、無線伝送充電ユニットを備えた充電対象物品２１の各種接続状態に対して異なる色の発光素子を用いた区分表示を行う。
【００２２】
本考案の図面に示した好ましい実施例において、前記入力ユニット４０はＭｉｃｒｏ-ＵＳＢポートとし、出力ユニット５０はＵＳＢポートとし、前記制御ユニット６０は繰り返し押して無線充電タイプの携帯用電源の使用状態を切り替える切換ボタンとする。
また、前記電量表示ユニット７０は四つのＬＥＤライト信号とし、ＬＥＤライト信号は、電池部１１０の１００％電量を四等分して順に表示する。
即ち、四つのＬＥＤライト信号が一つ点灯の場合は、現在の電池部１１０の残量が２５％、二つ点灯の場合は、現在の電池部１１０の残量が５０％であることを示す。このように類推し前記電池部１１０が１００％である場合は四つのＬＥＤライト信号が長く点灯する。
【００２３】
前記状態表示ユニット８０は青色ＬＥＤ及び赤色ＬＥＤを用いて状態表示を行い、青色ＬＥＤの点灯は無線出力ユニット１００が無線伝送充電ユニットを備えた充電対象物品２１にまだ接続されていないことを示す。
また、赤色ＬＥＤの点灯は、無線出力ユニット１００が無線伝送充電ユニットを備えた充電対象物品２１に既に接続され、尚且つ無線伝送の充電動作がスタートしたことを示す。
【００２４】
また、前記本体３０の上部周囲エッジには、上向きに突出体を延伸させる環状壁構造３１を形成する。尚且つ、環状壁構造３１内側には積載板３２を被嵌して固定する。
積載板３２は透明材料によって構成し、電量表示ユニット７０及び状態表示ユニット８０を本体３０上部に露出させる。
しかし、これは単に実用例の説明に利便を図るためのものであり、本体３０は上面に直接穴を開けて、電量表示ユニット７０及び状態表示ユニット８０を露出させてもよい（未図示）。
【００２５】
図３の第一実施例に示すとおり、前記検査モジュール９１が入力ユニット４０の外部電源１０への接続だけを検知した場合、前記入力ユニット４０は切替モジュール９２の初期設定に基づいて電気を電池部１１０に直接伝送して充電を行わせる。
【００２６】
図４の第二実施例に示すとおり、前記検査モジュール９１が入力ユニット４０の外部電源１０への接続と、無線出力ユニット１００或いは出力ユニット５０の充電対象物品２０への接続を検知した場合、前記切替モジュール９２は、入力ユニット４０の電気供給を無線出力ユニット１００或いは出力ユニット５０に切り替えて伝送し、電気出力が直接行われる。尚、この時、電池部１１０は電源入力或いは出力のどちらも行わない。
【００２７】
図５から図７の実施例に示すとおり、前記検査モジュール９１が入力ユニット４０の外部電源１０への未接続と、無線出力ユニット１００或いは出力ユニット５０の充電対象物品２０への接続を検知した場合、制御ユニット６０を前記電子回路板９０の作業状態に切り替えて、電池部１１０に電気を提供しなければならない。
【００２８】
前記制御ユニット６０が未起動である場合、前記出力ユニット５０と無線出力ユニット１００は何れも作動しない。
最初に制御ユニット６０を起動させた時、電池部１１０は電気を出力ユニット５０及び無線出力ユニット１００に送り、出力ユニット５０上に接続した充電対象物品２０及び無線出力ユニット１００上に接続した無線伝送充電ユニットを備えた充電対象物品２１に対して、有線伝送充電及び無線伝送充電を同時に行う。
二回目に制御ユニット６０を起動させた時、電池部１１０は無線出力ユニット１００だけに電気を送るよう変更し、無線出力ユニット１００に接続した無線伝送充電ユニットを備えた充電対象物品２１に無線伝送充電を行う。
また、三回目に制御ユニット６０を起動させた時、電池部１１０は出力ユニット５０に電気を送り、出力ユニット５０上に接続した充電対象物品２０に有線伝送充電を行う。
最後に、四回目に制御ユニット６０を起動させた時、電池部１１０は出力ユニット５０及び無線出力ユニット１００への電気供給をストップするため、出力ユニット５０と無線出力ユニット１００は、充電対象物品２０及び無線伝送充電ユニットを備えた充電対象物品２１に対して充電を行えず作動停止状態に戻り、制御ユニット６０が再度繰り返して切換起動されるまでその状態が続く。
【００２９】
前述をまとめると、本考案の携帯用電源は、無線出力端と有線出力端を同時に備えたものであり、携帯用電源は、ケーブルを充電対象物品に接続する従来の充電方式の他、ケーブルなしの状態において無線非接触方式を通して、無線伝送充電ユニットを備えた充電対象物品２１に対する充電を行うことができるため、ケーブルの未持参や遺失による充電不可能を防ぐことができる。
さらに、本考案は固定式の無線充電出力ベースとしてもよく、本考案を一般のコンセントに電気的に接続した場合、使用者は無線伝送範囲内で繰り返し非接触充電が行えるため、携帯用電源の電池内部の充電電量を考慮する必要がなく、携帯用電源の電気を１００％にした後に充電対象物品に充電を行う必要もなく、携帯用電源の使用上の多様性及び利便性を高めることができる。
【００３０】
以上に挙げた実施例は、単に本考案の説明に利便を図るためのものであり、制限を加える意図はなく、本考案の創作精神を乖離せずに、本業界を熟知する技術者によって実用新案登録請求の範囲及び説明書に基づいて為された各種の簡易な変化及び修飾は何れも以下の登録請求の範囲内に含まれるものとする。
【符号の説明】
【００３１】
１０  外部電源
２０  充電対象物品
２１  無線伝送充電ユニットを備えた充電対象物品
３０  本体
３１  環状壁構造
３２  積載板
４０  入力ユニット
５０  出力ユニット
６０  制御ユニット
７０  電量表示ユニット
８０  状態表示ユニット
９０  電子回路板
９１  検査モジュール
９２  切替モジュール
１００  無線出力ユニット
１１０  電池部
【図１】
0003179782.tif 000003
【図２】
0003179782.tif 000004
【図３】
0003179782.tif 000005
【図４】
0003179782.tif 000006
【図５】
0003179782.tif 000007
【図６】
0003179782.tif 000008
【図７】
0003179782.tif 000009